(57)【要約】    【課題】        通信を継続しつつキャリブレーション処理を行うアレーアンテナ無線通信装置を提供すること。    【解決手段】    通信用信号を含む無線信号を受信する複数のアンテナ1102,1103と、キャリブレーション用信号を生成する信号生成手段1110と、受信信号に含まれる通信用信号に対するチャネルの割り当て状況を監視して未使用のチャネルにキャリブレーション用信号を割り当てるチャネル決定手段1110と、アンテナ毎の受信信号にキャリブレーション用信号を加算する複数の加算手段1111,1112と、複数の加算手段による複数の加算された信号を個別に信号処理する複数の受信無線回路1104,1105と、受信無線回路によって信号処理を施された信号からキャリブレーション用信号をそれぞれ抽出する抽出手段1107と、通信用信号を用いた通信中に抽出されたキャリブレーション用信号に基づいてキャリブレーションを行うキャリブレーション手段1106,1107,1108と、を具備する。  【選択図】        図１１
2004343801.tif 000002
【特許請求の範囲】
【請求項１】
通信用信号を含む無線信号を受信する複数のアンテナと、
キャリブレーション用信号を生成する信号生成手段と、
受信信号に含まれる前記通信用信号に対するチャネルの割り当て状況を監視して未使用のチャネルに前記キャリブレーション用信号を割り当てるチャネル決定手段と、
前記アンテナ毎の受信信号に前記キャリブレーション用信号を加算する複数の加算手段と、
複数の前記加算手段による複数の加算された信号を個別に信号処理する複数の受信無線回路と、
前記受信無線回路によって信号処理を施された信号から前記キャリブレーション用信号をそれぞれ抽出する抽出手段と、
前記通信用信号を用いた通信中に、抽出されたキャリブレーション用信号に基づいてキャリブレーションを行うキャリブレーション手段と、を具備することを特徴とするアレーアンテナ無線通信装置。
【請求項２】
前記キャリブレーション手段は、間欠的にキャリブレーションを行うことを特徴とする請求項１記載のアレーアンテナ無線通信装置。
【請求項３】
前記受信信号は、符号分割多元接続方式の多重がなされていることを特徴とする請求項１記載のアレーアンテナ無線通信装置。
【請求項４】
前記受信信号は、時分割多元接続方式の多重がなされていることを特徴とする請求項１記載のアレーアンテナ無線通信装置。
【請求項５】
請求項１記載のアレーアンテナ無線通信装置を備えたことを特徴とする基地局装置。
【請求項６】
請求項５記載の基地局装置と無線通信を行うことを特徴とする無線通信端末装置。
【発明の詳細な説明】
【技術分野】
【０００１】
本発明は、無線通信装置に関し、特に、アレーアンテナを備えた移動無線通信装置に関する。
【背景技術】
【０００２】
近年、無線通信装置においては、受信時の指向性を自由に設定できるようにするために、アレーアンテナを搭載する方法が用いられている。このアレーアンテナは、複数のアンテナで構成されたものであり、各アンテナより受信された信号に対して振幅及び位相等の調整を与えることにより、受信時の指向性を自由に設定できるようにしたものである。なお、上記アンテナより受信された信号に対する振幅及び位相等の調整は、受信された信号に所定の処理を行う信号処理手段において、上記信号に複素係数が乗算されることによりなされる。以下、従来のアレイアンテナを備えた無線通信装置について、図１３を用いて説明する。
【０００３】
図１３は、従来のアレーアンテナ無線通信装置を用いた通信システムの構成を示すブロック図である。同図においては、従来のアレーアンテナを備えた無線通信装置を搭載した基地局１３０１が、移動局１３０８と通信を行う場合の様子が示されている。
【０００４】
基地局１３０１において、移動局１３０８からの無線信号は、受信アンテナ１３０２及び受信アンテナ１３０３を介して受信される。受信アンテナ１３０２及び受信アンテナ１３０３を介して受信された信号は、それぞれ受信無線回路１３０４及び受信無線回路１３０５により、基底周波数帯域又は中間周波数帯域にダウンコンバートされて、受信信号処理手段１３０６に送られる。
【０００５】
受信信号処理手段１３０６では、受信無線回路１３０４及び受信無線回路１３０５から送られた信号は、復調処理がなされることにより受信信号が得られる。この復調処理時には、受信無線回路１３０４及び受信無線回路１３０５から送られた信号が、希望方向から到来する電磁波のみを強く受信する特性（以下「受信指向性」という。）を持つようにするための処理もなされる。これは、上記信号に対して乗算する複素係数を適宜求めることにより行われる。これにより、干渉波を除去して所望波のみを受信することができるようになり、上記受信信号のＳＩＲ（Signal to Interference Ratio）は高く保たれる。
【０００６】
ところが、受信無線回路１３０４及び受信無線回路１３０５が持つ特性は、その内部で用いられる増幅器等のアナログ素子の特性のばらつきにより、個々に異なるものである。このため、受信アンテナ１３０２及び受信アンテナ１３０３を介して受信された信号は、それぞれ受信無線回路１３０４及び受信無線回路１３０５により各々異なる未知の振幅変動や位相回転等の影響を受ける。したがって、受信信号処理手段１３０６により複素係数を乗算されて実際に得られる受信信号は、上記の影響による誤差を含んだものとなり、当初期待されたものとは異なる受信指向性を有することになる。
【０００７】
上記のような現象を防止するためには、受信無線回路１３０４及び受信無線回路１３０５の特性が同一となるように調整する必要があるが、増幅器等のアナログ素子の特性を正確かつ時不変に調整することは、極めて困難である。
【０００８】
そこで、受信無線回路１３０４及び受信無線回路１３０５の特性を調整するのではなく、あらかじめ受信無線回路１３０４及び受信無線回路１３０５の各々の特性を測定しておき、受信信号処理手段１３０６において、各受信無線回路の特性の誤差分だけ受信信号の振幅及び位相が変化することを考慮して、乗算する複素係数を決定する、という調整工程（以下「キャリブレーション」という。）が採られている。
【０００９】
通常、キャリブレーションは、各受信無線回路の特性を測定するために、通信を開始する前に行われる。以下、キャリブレーション方法について、再度図１３を参照して説明する。
【００１０】
キャリブレーション用無線信号を発生するキャリブレーション（ＣＡＬ）用無線信号送信手段１３０９は、基地局１３０１にとって既知である位置に設置される。基地局１３０１において、キャリブレーション用無線信号送信手段１３０９により送信されたキャリブレーション用無線信号は、受信アンテナ１３０２及び受信アンテナ１３０３を介して受信される。
【００１１】
受信アンテナ１３０２及び受信アンテナ１３０３を介して受信された信号は、キャリブレーション用無線信号を受信できるように設定が切り換えられた受信無線回路１３０４及び受信無線回路１３０５のそれぞれを通して受信信号処理手段１３０６へ送られる。
【００１２】
受信信号処理手段１３０６では、受信無線回路１３０４及び受信無線回路１３０５のそれぞれの出力信号が観測されて、各受信無線回路の出力信号の振幅及び位相の期待される値に基づく偏差が、通信時に補正すべき特性誤差として補正テーブルに保存される。補正テーブルは、受信信号処理手段１３０６の内部又は外部に設けられた記録部１３０７に格納される。以上が、キャリブレーション方法である。
【００１３】
キャリブレーションが完了した後、受信信号処理手段１３０６において、移動局１３０８からの受信信号を復調するように設定が切り換えられることにより、通常の通信が行われる。通常の通信時には、受信信号処理手段１３０６では、上記補正テーブルの内容を参照して、各受信無線回路の特性誤差を相殺するように処理がなされる。
【発明の開示】
【発明が解決しようとする課題】
【００１４】
しかしながら、上記従来のアレーアンテナを備えた無線通信装置には、以下に示すような問題がある。すなわち、上記従来のアレーアンテナを備えた無線通信装置を搭載した基地局は、移動局との通信とキャリブレーション処理を略同時に行うことができない。このため、移動局との通信又はキャリブレーション処理のいずれか一方に優先性がおかれることになる。
【００１５】
ところが、キャリブレーション処理を優先的に行う場合には、基地局における受信指向性を向上させることができるが、キャリブレーション処理の度に移動局との通信を中断しなければならないので、移動局との円滑な通信が実現できなくなるという不都合が生ずる。
【００１６】
逆に、移動局との通信を優先的に行う場合には、移動局との通信を円滑に行うことができるが、キャリブレーション処理が制限されるので、基地局における受信信号の受信指向性が低下するという不都合が生ずる。
【００１７】
このように、従来のアレーアンテナを備えた無線通信装置においては、移動局との円滑な通信又は受信指向性の精度のいずれかを犠牲にしなければならないので、結果として、かかる装置は、実用的な装置として実現性が低くなるという問題がある。
【００１８】
本発明は、かかる点に鑑みてなされたものであり、移動局との通信を継続しつつキャリブレーション処理を行うアレーアンテナ無線通信装置を提供することを目的とする。
【課題を解決するための手段】
【００１９】
本発明に係るアレーアンテナ無線通信装置は、通信用信号を含む無線信号を受信する複数のアンテナと、キャリブレーション用信号を生成する信号生成手段と、受信信号に含まれる前記通信用信号に対するチャネルの割り当て状況を監視して未使用のチャネルに前記キャリブレーション用信号を割り当てるチャネル決定手段と、前記アンテナ毎の受信信号に前記キャリブレーション用信号を加算する複数の加算手段と、複数の前記加算手段による複数の加算された信号を個別に信号処理する複数の受信無線回路と、前記受信無線回路によって信号処理を施された信号から前記キャリブレーション用信号をそれぞれ抽出する抽出手段と、前記通信用信号を用いた通信中に、抽出されたキャリブレーション用信号に基づいてキャリブレーションを行うキャリブレーション手段と、を具備する構成を採る。
【００２０】
本発明に係るアレーアンテナ無線通信装置は、前記発明において、前記キャリブレーション手段は、間欠的にキャリブレーションを行う構成を採る。
【００２１】
本発明に係るアレーアンテナ無線通信装置は、前記発明において、前記受信信号は、符号分割多元接続方式の多重がなされている構成を採る。
【００２２】
本発明に係るアレーアンテナ無線通信装置は、前記発明において、前記受信信号は、時分割多元接続方式の多重がなされている構成を採る。
【００２３】
本発明に係る基地局装置は、前記発明に係るアレーアンテナ無線通信装置を備えた構成を採る。
【００２４】
本発明に係る無線通信端末装置は、前記発明に係る基地局装置と無線通信を行う構成を採る。
【発明の効果】
【００２５】
本発明によれば、通信を行う複数の移動局のうち、ある１つの移動局の位置を検出することにより、この移動局からの通信信号をキャリブレーション用通信信号として用いることができるので、キャリブレーション用通信信号を発生する手段を単独に設ける必要がない。これにより、本発明によれば、通信システム全体の規模及びコストを抑えることができる。
【発明を実施するための最良の形態】
【００２６】
本発明の第１の態様は、通信用信号及びキャリブレーション用信号が同一周波数帯域に多重された受信信号に対して周波数変換を行う周波数変換手段と、周波数変換された受信信号から各信号を抽出する抽出手段と、前記通信用信号を用いた通信中に、抽出されたキャリブレーション用信号に基づくキャリブレーション処理が可能なキャリブレーション手段と、抽出された通信用信号を前記キャリブレーション結果に基づいて復調する復調手段と、を具備する構成を採る。
【００２７】
この構成によれば、通信用信号及びキャリブレーション用信号は、同一周波数帯域に多重されて伝送されるので、各信号を個別に抽出することができる。これにより、各信号を略同時に復調することが可能となるので、各移動局との通信と、キャリブレーション処理と、を略同時に行うことができる。したがって、各移動局との通信を継続しつつキャリブレーション処理を行うアレーアンテナ無線通信装置を提供することができる。
【００２８】
本発明の第２の態様は、少なくとも２つの通信用信号が同一周波数帯域に多重された受信信号から各信号を抽出する抽出手段と、前記通信用信号を用いて通信を行う通信相手の位置を検出する位置検出手段と、前記通信用信号を用いた通信中に、検出された一方の通信相手の位置と抽出されたこの通信相手が用いる通信用信号とに基づくキャリブレーション処理が可能なキャリブレーション手段と、抽出された他の通信相手が用いる通信用信号を前記キャリブレーション結果に基づいて復調する復調手段と、を具備する構成を採る。
【００２９】
この構成によれば、一方の通信相手の位置が既知となるので、この通信相手の位置とこの通信相手が用いる通信用信号とを用いて、キャリブレーションを行うことができる。これにより、このキャリブレーション結果に基づいて、他の通信相手が用いる通信用信号を復調することができる。さらに、各通信相手が用いる通信用信号は、同一周波数帯域を用いて伝送されるので、上記キャリブレーション処理と上記復調とを略同時に行うことができる。したがって、キャリブレーション用信号を発生させる装置を別途設ける必要がなくなるので、通信システム全体の規模及びコストを低減させることができる。
【００３０】
本発明の第３の態様は、キャリブレーション用信号を生成する信号生成手段と、通信用信号を含む受信信号と前記キャリブレーション用信号とを加算する加算手段と、加算された信号に対して周波数変換を行う周波数変換手段と、周波数変換された信号から各信号を抽出する抽出手段と、前記通信用信号を用いた通信中に、抽出されたキャリブレーション用信号に基づくキャリブレーション処理が可能なキャリブレーション手段と、抽出された通信用信号を前記キャリブレーション結果に基づいて復調する復調手段と、を具備する構成を採る。
【００３１】
この構成によれば、キャリブレーション処理に必要なキャリブレーション用信号として、受信信号に含まれたキャリブレーション信号を用いるのではなく、装置本体内の信号生成手段により生成されたキャリブレーション用信号を用いている。これにより、キャリブレーション用信号を発生させる装置を別途設ける必要がなくなるので、通信システム全体の規模及びコストを低減させることができる。
【００３２】
本発明の第４の態様は、第１の態様から第３の態様のいずれかにおいて、キャリブレーション手段は、前記復調手段の復調と略同時に又は間欠的にキャリブレーションを行う構成を採る。
【００３３】
この構成によれば、キャリブレーション手段は、復調手段による復調と並行して、同時に又は間欠的にキャリブレーションを行うので、通信相手との通信に支障をきたすことなく、必要とされる受信指向性の精度に応じて、キャリブレーション処理が適切に行われる。
【００３４】
本発明の第５の態様は、第１の態様から第３の態様のいずれかにおいて、通信用信号に対するチャネルの割り当て状況に基づいてキャリブレーション用信号に割り当てるチャネルを決定するチャネル決定手段を具備し、抽出手段は、決定されたチャネルに基づいてキャリブレーション用信号を抽出する構成を採る。
【００３５】
この構成によれば、チャネル決定手段により、各通信相手の通信用信号に用いられるチャネルの割り当て状況に基づいて、適切なチャネルがキャリブレーション用信号に割り当てられた後、この割り当てられたチャネルを用いて伝送されたキャリブレーション用が受信される。さらに、受信された信号からは、抽出手段により、上記チャネルに基づいて、キャリブレーション用信号が確実に抽出される。これにより、通信相手との通信及びキャリブレーション用信号との通信に用いられる通信チャネルを、利用状況に応じて効率的に利用することができる。
【００３６】
本発明の第６の態様は、第１の態様において、通信相手用のキャリブレーション用信号を発生させる信号発生手段を具備し、受信信号に多重されたキャリブレーション用信号は、前記通信中の通信相手から送信されたものである構成を採る。
【００３７】
この構成によれば、信号発生手段により、他の通信相手が用いるキャリブレーション用信号が発生されるとともに、他の通信相手から送信されたキャリブレーション用信号を用いて、キャリブレーション処理を行うことができるので、キャリブレーション用信号を発生させる装置を別途設ける必要がなくなる。これにより、通信システム全体の規模及びコストを低減することができる。
【００３８】
本発明の第７の態様は、第１の態様から第６の態様のいずれかにおいて、受信信号は、符号分割多元接続方式の多重がなされている構成を採る。
【００３９】
この構成によれば、符号分割多元接続方式により、通信相手が用いる通信用信号とキャリブレーション用信号は、同一の周波数帯域に多重されるので、各信号は、確実に抽出されて復調される。
【００４０】
本発明の第８の態様は、第１の態様から第６の態様のいずれかにおいて、受信信号は、時分割多元接続方式の多重がなされている構成を採る。
【００４１】
この構成によれば、時分割多元接続方式により、通信相手が用いる通信用信号とキャリブレーション用信号は、同一の周波数帯域で多重されるので、各信号は、確実に抽出されて復調される。
【００４２】
本発明の第９の態様の基地局装置は、第１の態様から第８の態様のいずれかのアレーアンテナ無線通信装置を備えた構成を採る。
【００４３】
この構成によれば、移動局との通信を継続しつつキャリブレーション処理を行うアレーアンテナ無線通信装置が搭載されるので、良好な通信を行う基地局装置を提供することができる。
【００４４】
本発明の第１０の態様の無線通信端末装置は、第９の態様の基地局装置と無線通信を行う構成を採る。
【００４５】
この構成によれば、移動局との通信を継続しつつキャリブレーション処理を行うアレーアンテナ無線通信装置が搭載された基地局と通信を行うので、良好な通信を行う無線通信端末装置を提供することができる。
【００４６】
本発明の第１１の態様は、通信用信号及びキャリブレーション用信号が同一周波数帯域に多重された受信信号に対して周波数変換を行う周波数変換工程と、周波数変換された受信信号から各信号を抽出する抽出工程と、前記通信用信号を用いた通信中に、抽出されたキャリブレーション用信号に基づくキャリブレーション処理が可能なキャリブレーション工程と、抽出された通信用信号を前記キャリブレーション結果に基づいて復調する復調工程と、を具備する方法を採る。
【００４７】
この方法によれば、通信用信号及びキャリブレーション用信号は、同一周波数帯域に多重されて伝送されるので、各信号を個別に抽出することができる。これにより、各信号を略同時に復調することが可能となるので、各移動局との通信と、キャリブレーション処理と、を略同時に行うことができる。したがって、各移動局との通信を継続しつつキャリブレーション処理を行うアレーアンテナ無線通信装置を提供することができる。
【００４８】
以下、本発明の実施の形態について、図面を参照して詳細に説明する。
【００４９】
（実施の形態１）
図１は、本発明の実施の形態１に係るアレーアンテナ無線通信装置を用いた通信システムの構成を示すブロック図である。同図においては、本実施の形態に係るアレーアンテナ無線通信装置を搭載した基地局１０１が、移動局１０９と通信を行う場合の様子が示されている。
【００５０】
移動局１０９は、基地局１０１に対して無線信号を送信する。キャリブレーション（ＣＡＬ）用ＣＤＭＡ無線信号送信手段１１０は、基地局１０１に対して、キャリブレーション用無線信号を発生する。
【００５１】
基地局１０１において、受信アンテナ１０２及び受信アンテナ１０３は、移動局１０９からの無線信号及びキャリブレーション用ＣＤＭＡ無線信号送信手段１１０からのキャリブレーション用無線信号を受信して、それぞれ受信無線回路１０４及び受信無線回路１０５に送る。
【００５２】
受信無線回路１０４及び受信無線回路１０５は、それぞれ受信アンテナ１０２及び受信アンテナ１０３から送られた移動局１０９からの無線信号を、基底周波数帯域又は中間周波数帯域にダウンコンバートした後、受信ＣＤＭＡ信号処理手段Ａ（通信用）１０６に送る。また、受信無線回路１０４及び受信無線回路１０５は、キャリブレーション用ＣＤＭＡ無線信号送信手段１１０からのキャリブレーション用無線信号を、上記のようにダウンコンバートした後、受信ＣＤＭＡ信号処理手段Ｂ（ＣＡＬ用）１０７に送る。なお、キャリブレーション用ＣＤＭＡ無線信号送信手段１１０からのキャリブレーション用無線信号を入力するか否かについては、受信無線回路１０４及び受信無線回路１０５のそれぞれに設けられた切換部（図示しない）の切換動作により選択される。
【００５３】
受信ＣＤＭＡ信号処理手段Ｂ（ＣＡＬ用）１０７は、受信無線回路１０４及び受信無線回路１０５を通して送られたキャリブレーション用無線信号を観測して、各受信無線回路の特性誤差を記録部１０８に送る。
【００５４】
記録部１０８は、受信ＣＤＭＡ信号処理手段Ｂ（ＣＡＬ用）１０７から送られた特性誤差を補正テーブルに保存する。上記特性誤差は、受信無線回路ごとに独立に測定されるので、補正テーブルは、受信無線回路の数だけ独立して作成される。なお、記録部１０８は、受信ＣＤＭＡ信号処理手段Ｂ（ＣＡＬ用）１０７に設けることもできる。
【００５５】
受信ＣＤＭＡ信号処理手段Ａ（通信用）１０６は、受信無線回路１０４及び受信無線回路１０５から送られた信号に対して、ＣＤＭＡ復調処理を行う。ＣＤＭＡ復調処理時には、受信ＣＤＭＡ信号処理手段Ａ（通信用）１０６は、記録部１０８に保存された補正テーブルを参照して、上記信号が受信指向性を持つようにするための処理を行う。
【００５６】
なお、図１においては、移動局１０９のみからの無線信号を復調する例が示されているので、受信信号処理手段は１系統のみしか示されていないが、本実施の形態においては、複数の移動局からの無線信号を復調するための複数系統の受信信号処理手段を具備することはいうまでもない。
【００５７】
なお、本実施の形態においては、例として２本のアンテナによるアレーアンテナ受信機能が備えられた場合について説明しているので、受信アンテナ、受信無線回路、及び受信無線回路に備えられた切換部が、各々２個ずつ設けられるが、本発明は、これに限定されず、適宜変更できるものである。
【００５８】
次いで、上記構成のアレーアンテナ無線通信装置を用いた通信システムの動作について、さらに図２を参照して説明する。図２は、本発明の実施の形態１に係るアレーアンテナ無線通信装置を用いた通信システムにおける拡散符号の割り当て状況を示す模式図である。
【００５９】
本実施の形態においては、基地局１０１と各移動局との通信に用いられる通信信号、及び基地局１０１とキャリブレーション用ＣＤＭＡ無線信号用送信手段１１０との通信に用いられるキャリブレーション用信号は、ＣＤＭＡ（Code Division Multiple Access；符号分割多元接続）方式により多重される。
【００６０】
ＣＤＭＡ多重を行うために、通話中の各移動局及びキャリブレーション用ＣＤＭＡ無線信号用送信手段１１０に対して、各々異なる拡散符号（チャネル）が割り当てられる。図２においては、例として、＃１から＃４までの４種類の拡散符号が用意された場合における拡散符号の割り当て状況が示されている。
【００６１】
＃１から＃３までの３種類の拡散符号は、それぞれ３つの移動局に割り当てられる。これにより、拡散符号を割り当てられた３つの移動局は、略同時に通信を行うことができる。この状態において、ある移動局の通話が終了すると、この移動局に割り当てられた拡散符号が、他の移動局に移管される様子が同図より明らかである。例えば、移動局３に割り当てられた拡散符号＃３は、移動局３の通信終了後、移動局５に割り当てられている。
【００６２】
さらに、１つの拡散符号（例として、図２においては拡散符号＃４）は、他の移動局の通信状態に関係なく、キャリブレーション用ＣＤＭＡ通信信号用に固定的に割り当てられている。これにより、キャリブレーション用ＣＤＭＡ無線信号送信手段１１０は、恒常的にキャリブレーション用ＣＤＭＡ無線信号を送信することができる。
【００６３】
まず、図１において、移動局１０９からのＣＤＭＡ無線信号は、受信アンテナ１０２及び受信アンテナ１０３を介して、基地局１０１により受信される。受信アンテナ１０２及び受信アンテナ１０３を介して受信されたＣＤＭＡ無線信号は、それぞれ受信無線回路１０４及び受信無線回路１０５により、基底周波数帯域又は中間周波数帯域にダウンコンバートされて、受信ＣＤＭＡ信号処理手段Ａ（通信用）１０６に送られる。
【００６４】
受信ＣＤＭＡ信号処理手段Ａ（通信用）１０６では、受信無線回路１０４及び受信無線回路１０５から送られた信号は、ＣＤＭＡ復調処理がなされて、受信信号とされる。このＣＤＭＡ復調処理時には、各受信無線回路から送られた信号は、この信号に乗算される複素係数が調節されることにより、希望方向から到来する電磁波のみを強く受信することができる信号とされる。
【００６５】
上記のような処理と並行して、以下に述べるキャリブレーション処理が常時又は間欠的に行われる。
【００６６】
基地局１０１にとって既知である位置に設置されたキャリブレーション用無線ＣＤＭＡ信号送信手段１１０により、キャリブレーション用無線信号が発生される。基地局１０１においては、このキャリブレーション用無線信号は、受信アンテナ１０２及び受信アンテナ１０３を介して、内部に設けられた切換部によりキャリブレーション用無線信号を受信できるように設定を切り換えられた受信無線回路１０４及び受信無線回路１０５のそれぞれに送られる。
【００６７】
受信無線回路１０４及び受信無線回路１０５では、上記キャリブレーション用無線信号は、上述のようにダウンコンバートされた後、受信ＣＤＭＡ信号処理手段Ｂ（ＣＡＬ用）１０７に出力される。
【００６８】
受信ＣＤＭＡ信号処理手段Ｂ（ＣＡＬ用）１０７では、受信無線回路１０４及び受信無線回路１０５のそれぞれの出力信号を観測することにより、各受信無線回路の出力信号の振幅及び位相等の期待される値に基づく偏差が測定され、さらに、測定された上記偏差は、通信時に補正すべき特性誤差として補正テーブルに保存される。上記偏差すなわち特性誤差の測定は、上記受信無線回路ごとに独立に行われるため、補正テーブルも上記受信無線回路の数だけ独立に設けられる。なお、上記補正テーブルは、キャリブレーション用受信ＣＤＭＡ信号処理手段１０７の内部又は外部に設けられた記録部１０８に格納される。
【００６９】
記録部１０８からは、補正テーブルの内容が受信ＣＤＭＡ信号処理手段Ａ（通信用）１０６に送られる。
【００７０】
この後、受信ＣＤＭＡ信号処理手段Ａ（通信用）１０６では、記録部１０８から送られた補正テーブルの内容を参照して、各受信無線回路の特性誤差を相殺するように、移動局１０９からのＣＤＭＡ無線信号、すなわち、受信無線回路１０４及び受信無線回路１０５から送られた信号に対して、復調処理がなされる。
【００７１】
このように、本実施の形態によれば、各移動局のＣＤＭＡ無線信号及びキャリブレーション用ＣＤＭＡ無線信号のそれぞれに対して、各々異なる拡散符号が割り当てられることにより、基地局は、移動局のＣＤＭＡ無線信号とキャリブレーション用ＣＤＭＡ無線信号とを個別に抽出して、各信号を略同時に又は間欠的に復調することができる。これにより、基地局は、各移動局との通信を継続しながらも、キャリブレーション処理を常時又は頻繁に行うことができるので、移動局との円滑な通信を行うことができると略同時に、受信信号の受信指向性の精度を向上させることができる。
【００７２】
（実施の形態２）
上述した実施の形態１は、基地局と各移動局との間、及び基地局とキャリブレーション用ＣＤＭＡ無線信号用送信手段との間において、ＣＤＭＡ方式の通信を行う場合の形態である。実施の形態２は、実施の形態１において、ＣＤＭＡ方式に代えて、ＴＤＭＡ（Time Division Multiple Access；時分割多元接続）方式を用いる場合の形態である。以下、実施の形態２に係るアレーアンテナ無線通信装置について、実施の形態１と相違する点に着目して、図３及び図４を用いて説明する。
【００７３】
図３は、本発明の実施の形態２に係るアレーアンテナ無線通信装置を用いた通信システムの構成を示すブロック図である。図４は、本発明の実施の形態２に係るアレーアンテナ無線通信装置を用いた通信システムにおける拡散符号の割り当て状況を示す模式図である。
【００７４】
本実施の形態においては、基地局３０１と各移動局との通信に用いられる通信信号、及び基地局３０１とキャリブレーション用ＴＤＭＡ無線信号送信手段３１０との通信に用いられるキャリブレーション用信号は、ＴＤＭＡ方式により多重される。
【００７５】
ＴＤＭＡ多重を行うために、通信中の各移動局及びキャリブレーション用ＴＤＭＡ無線信号用送信手段３１０に対して、送信を許可するタイムスロット（チャネル）の番号を各々異ならせている。図４においては、例として、＃１から＃４までの４つのタイムスロットが用意された場合におけるタイムスロットの割り当て状況が示されている。
【００７６】
＃２から＃４までの３つのタイムスロットは、それぞれ３つの移動局に割り当てられる。これにより、タイムスロットを割り当てられた３つの移動局は、通信を行うことができる。この状態において、ある移動局の通話が終了すると、この移動局に割り当てられたタイムスロットが、他の移動局に移管される様子が同図より明らかである。例えば、移動局２に割り当てられたタイムスロット＃３は、移動局２の通信終了後、移動局４に割り当てられている。図においては、ある移動局の通話が終了すると、他の移動局にタイムスロットの割り当てが移管される様子が示されている。
【００７７】
さらに、１つのタイムスロット（例として、図４においてはタイムスロット＃１）は、他の移動局の通信状態に関係なく、キャリブレーション用ＴＤＭＡ通信信号用に固定的に割り当てられている。これにより、キャリブレーション用ＴＤＭＡ無線信号送信手段３１０は、恒常的にキャリブレーション用ＴＤＭＡ無線信号を送信することができる。
【００７８】
基地局３０１内の各構成要素の動作については、受信されるＴＤＭＡ方式の信号に応じた処理がなされる点を除いて、実施の形態１と同様である。
【００７９】
すなわち、受信無線回路３０４及び受信無線回路３０５では、それぞれ受信アンテナ３０２及び受信アンテナ３０３を介して受信された、移動局３０９からのＴＤＭＡ無線信号又はＣＡＬ用ＴＤＭＡ無線信号送信手段３１０からのキャリブレーション用ＴＤＭＡ無線信号は、実施の形態１と同様にダウンコンバートされる。
【００８０】
また、受信ＴＤＭＡ信号処理手段Ｂ（ＣＡＬ用）３０７では、受信無線回路３０４及び受信無線回路３０５によりダウンコンバートされたキャリブレーション用ＴＤＭＡ無線信号は、実施の形態１と同様に観測されることにより、前述した特性誤差が得られる。得られた特性誤差は、実施の形態１と同様に補正テーブルに保存される。
【００８１】
また、受信ＴＤＭＡ信号処理手段Ａ（通信用）３０６では、受信無線回路３０４及び受信無線回路３０５によりダウンコンバートされた移動局３０９からのＴＤＭＡ無線信号は、ＴＤＭＡ復調処理がなされる。このとき、実施の形態１と同様に、常時又は間欠的に、記録部１０８から送られる補正テーブルの内容を参照して、移動局３０９からのＴＤＭＡ無線信号は、各受信無線回路の特性誤差を相殺するようなＴＤＭＡ復調処理がなされる。
【００８２】
このように、本実施の形態によれば、各移動局のＴＤＭＡ無線信号及びキャリブレーション用ＴＤＭＡ無線信号のそれぞれに対して、各々異なるタイムスロットが割り当てられているので、基地局は、移動局のＴＤＭＡ無線信号とキャリブレーション用ＴＤＭＡ無線信号とを個別に抽出することができる。さらに、上記タイムスロットの時間幅は非常に短いので、キャリブレーション結果は、各移動局との通信に確実に反映されることになる。これにより、各移動局との通信に支障をきたすことなく、キャリブレーション処理を並行して行うことができる。
【００８３】
これにより、基地局は、各移動局との通信を継続しながらも、キャリブレーション処理を行うことができるので、移動局との円滑な通信を行うことができると同時に、受信信号の受信指向性の精度を向上させることができる。
【００８４】
（実施の形態３）
実施の形態３は、実施の形態１において、キャリブレーションを間欠的に行いつつ拡散符号（チャネル）を効果的に利用する場合の形態である。実施の形態１では、基地局は、キャリブレーションを常時行うので、キャリブレーション用ＣＤＭＡ通信信号に対して、１つの拡散符号が固定的に割り当てられている。実施の形態３では、基地局は、キャリブレーションを間欠的に行うので、キャリブレーション用ＣＤＭＡ通信信号に対しては、必要な場合にのみ１つの拡散符号が割り当てられる。以下、実施の形態３に係るアレーアンテナ無線通信装置について、実施の形態１と相違する点に着目して、図５を用いて説明する。
【００８５】
図５は、本発明の実施の形態３に係るアレーアンテナ無線通信装置を用いた通信システムの構成を示すブロック図である。なお、図５において、実施の形態１（図１）と同様の構成については、同一符号を付して詳しい説明を省略する。
【００８６】
本実施の形態に係るアレーアンテナ無線通信装置を搭載した基地局５０１において、ＣＡＬ用チャネル決定手段５０３は、図示しない制御手段からキャリブレーションの要求を受けた場合には、各移動局に対する拡散符号（チャネル）の割り当て状況を監視して、未使用の拡散符号を、キャリブレーション用ＣＤＭＡ通信信号に割り当てるための拡散符号として決定する。また、ＣＡＬチャネル決定手段５０３は、決定した拡散符号に関する情報を、受信ＣＤＭＡ信号処理手段Ｂ（ＣＡＬ）５０２と図示しない制御手段とに送る。
【００８７】
図示しない制御手段は、決定されたキャリブレーション用ＣＤＭＡ通信信号用の拡散符号に関する情報を、別系統の送信手段（図示しない）を介して、ＣＡＬ用ＣＤＭＡ無線信号送信手段５０４に報知する。
【００８８】
ＣＡＬ用ＣＤＭＡ無線信号送信手段５０４は、基地局５０１からのキャリブレーション用ＣＤＭＡ通信信号用の拡散符号に関する情報を受信する。ＣＡＬ用ＣＤＭＡ無線信号送信手段５０４に設けられたＣＡＬ用チャネル決定手段５０５は、上記拡散符号に関する情報に基づいて、キャリブレーション用ＣＤＭＡ通信用の拡散符号を決定する。
【００８９】
ＣＡＬ用ＣＤＭＡ無線信号送信手段５０４は、ＣＡＬ用チャネル決定手段５０５により決定された拡散符号を用いて、キャリブレーション用ＣＤＭＡ通信信号を発生する。
【００９０】
上記構成のアレーアンテナ通信装置を搭載した基地局５０１においては、受信ＣＤＭＡ信号処理手段Ｂ（ＣＡＬ用）５０２は、ＣＡＬ用チャネル決定手段５０３から送られた拡散符号に関する情報を用いることにより、受信無線回路１０４及び受信無線回路１０５によりダウンコンバートされたキャリブレーション用ＣＤＭＡ通信信号に基づいて、各受信無線回路の偏差を測定することができる。
【００９１】
次いで、上記構成のアレーアンテナ通信装置を用いた通信システムにおける拡散符号の割り当て状況について、さらに図６を用いて説明する。図６は、本発明の実施の形態３に係るアレーアンテナ通信装置を用いた通信システムにおける拡散符号の割り当て状況を示す模式図である。
【００９２】
ＣＡＬ用チャネル決定手段５０３は、図示しない制御手段からキャリブレーションの要求を受けると、各移動局に対する拡散符号の割り当て状況を監視して、図６に示すように、＃１から＃４までの拡散符号のうち未使用のものを、キャリブレーション用ＣＤＭＡ通信信号に対して割り当てる。キャリブレーション終了後は、キャリブレーション用通信信号に割り当てられていた拡散符号は、通信要求のある他の移動局に移管されている。
【００９３】
このように、本実施の形態によれば、ＣＤＭＡ方式の通信において、間欠的にキャリブレーションを行う場合には、キャリブレーション用ＣＤＭＡ通信信号に対して、未使用の拡散符号（チャネル）が割り当てられ、さらにキャリブレーション終了後は、この拡散符号は、他の移動局の通信用に割当てられる。これにより、基地局は、各移動局との通信に支障をきたすことなく、間欠的にキャリブレーションを行うことができるとともに、拡散符号を効率的に利用することができる。
【００９４】
（実施の形態４）
実施の形態４は、実施の形態２において、キャリブレーションを間欠的に行いつつタイムスロット（チャネル）を効果的に利用する場合の形態である。実施の形態２では、基地局は、キャリブレーションを常時行うので、キャリブレーション用ＴＤＭＡ通信信号に対して、１つのタイムススロットが固定的に割り当てられている。実施の形態４では、基地局は、キャリブレーションを間欠的に行うので、キャリブレーション用ＴＤＭＡ通信信号に対しては、必要な場合にのみ１つのタイムスロットが割り当てられる。
【００９５】
また、実施の形態４は、実施の形態３において、ＣＤＭＡ方式に代えて、ＴＤＭＡ方式を用いる場合の形態であるということもできる。以下、実施の形態２に係るアレーアンテナ無線通信装置について、実施の形態３と相違する点に着目して、図７を用いて説明する。
【００９６】
図７は、本発明の実施の形態４に係るアレーアンテナ無線通信装置を用いた通信システムの構成を示すブロック図である。なお、図７において、実施の形態３（図５）と同様の構成については、同一符号を付して詳しい説明を省略する。
【００９７】
本実施の形態に係るアレーアンテナ無線通信装置を搭載した基地局７０１において、ＣＡＬ用チャネル決定手段７０３は、図示しない制御手段からキャリブレーションの要求を受けた場合には、各移動局に対するタイムスロット（チャネル）の割り当て状況を監視して、未使用のタイムスロットを、キャリブレーション用ＴＤＭＡ通信信号に割り当てるためのタイムスロットとして決定する。また、ＣＡＬチャネル決定手段７０３は、決定したタイムスロットに関する情報を、受信ＴＤＭＡ信号処理手段Ｂ（ＣＡＬ）７０２と図示しない制御手段とに送る。
【００９８】
図示しない制御手段は、決定されたキャリブレーション用ＴＤＭＡ通信信号用のタイムスロットに関する情報を、別系統の送信手段（図示しない）を介して、ＣＡＬ用ＴＤＭＡ無線信号送信手段７０４に報知する。
【００９９】
ＣＡＬ用ＴＤＭＡ無線信号送信手段７０４は、基地局７０１からのキャリブレーション用ＴＤＭＡ通信信号用のタイムスロットに関する情報を受信する。ＣＡＬ用ＴＤＭＡ無線信号送信手段７０４に設けられたＣＡＬ用チャネル決定手段７０５は、上記タイムスロットに関する情報に基づいて、キャリブレーション用ＴＤＭＡ通信用のタイムスロットを決定する。
【０１００】
ＣＡＬ用ＴＤＭＡ無線信号送信手段７０４は、ＣＡＬ用チャネル決定手段７０５により決定されたタイムスロットを用いて、キャリブレーション用ＴＤＭＡ通信信号を発生する。
【０１０１】
上記構成のアレーアンテナ通信装置を搭載した基地局７０１においては、受信ＴＤＭＡ信号処理手段Ｂ（ＣＡＬ用）７０２は、ＣＡＬ用チャネル決定手段７０３から送られたタイムスロットに関する情報を用いることにより、受信無線回路３０４及び受信無線回路３０５によりダウンコンバートされたキャリブレーション用ＴＤＭＡ通信信号に基づいて、各受信無線回路の偏差を測定することができる。
【０１０２】
次いで、上記構成のアレーアンテナ通信装置を用いた通信システムにおけるタイムスロットの割り当て状況について、さらに図８を用いて説明する。図８は、本発明の実施の形態４に係るアレーアンテナ通信装置を用いた通信システムにおけるタイムスロットの割り当て状況を示す模式図である。
【０１０３】
ＣＡＬ用チャネル決定手段７０３は、図示しない制御手段からキャリブレーションの要求を受けると、各移動局に対するタイムスロットの割り当て状況を監視して、図８に示すように、＃１から＃４までのタイムスロットのうち未使用のものを、キャリブレーション用ＴＤＭＡ通信信号に対して割り当てる。キャリブレーション終了後は、キャリブレーション用通信信号に割り当てられていたタイムスロットは、通信要求のある他の移動局に移管されている。
【０１０４】
このように、本実施の形態によれば、ＴＤＭＡ方式の通信において、間欠的にキャリブレーションを行う場合には、キャリブレーション用ＴＤＭＡ通信信号に対して、未使用のタイムスロットが割り当てられ、さらにキャリブレーション終了後は、このタイムスロットは、他の移動局の通信用に割当てられる。これにより、基地局は、各移動局との通信に支障をきたすことなく、間欠的にキャリブレーションを行うことができるとともに、タイムスロットを効率的に利用することができる。
【０１０５】
（実施の形態５）
実施の形態５は、実施の形態１から実施の形態４において、キャリブレーション信号送信手段を基地局に設けた場合の形態である。以下、実施の形態５に係るアレーアンテナ無線通信装置について、実施の形態１から実施の形態４と相違する点に着目して、図９を用いて説明する。
【０１０６】
図９は、本発明の実施の形態５に係るアレーアンテナ無線通信装置を用いた通信システムの構成を示すブロック図である。同図において、本実施の形態に係るアレーアンテナ通信装置を備えた基地局（甲）９０１と移動局９０９とが通信を行う様子が示されている。なお、同図において、実施の形態１から実施の形態４と同様の構成については、詳しい説明を省略する。
【０１０７】
基地局（乙）９１０は、基地局（甲）９０１と同様の構成を有するものであり、基地局（甲）９０１にとって、既知の場所に設置されている。また、基地局（乙）９１０は、キャリブレーション用通信信号を発生する。
【０１０８】
基地局（甲）９０１において、受信信号処理手段Ｂ（ＣＡＬ用）９０７は、受信無線回路９０４及び受信無線回路９０５のそれぞれによりダウンコンバートされた基地局（乙）９１０からのキャリブレーション用通信信号に基づいて、各受信無線回路の偏差を測定し、測定結果を記録部９０８の補正テーブルに保存する。
【０１０９】
受信信号処理手段Ａ（通信用）９０６は、受信無線回路９０４及び受信無線回路９０５のそれぞれによりダウンコンバートされた移動局９０９からの通信信号に対して、復調処理を行う。復調処理時には、受信信号処理手段Ａ（通信用）９０６は、記録部９０８の補正テーブルを参照して、常時又は間欠的に各受信無線回路の特性誤差を相殺するような復調処理を行う。
【０１１０】
ＣＡＬ用無線信号送信手段９１２は、他の基地局（例えば、基地局（乙）９１０）のキャリブレーションのために、キャリブレーション用通信信号を発生する。なお、上述した各構成要素は、ＣＤＭＡ方式又はＴＤＭＡ方式のいずれの通信においても対応できるものである。
【０１１１】
このように、本実施の形態によれば、キャリブレーション用通信信号を発生するキャリブレーション信号送信手段が他の基地局内に設けられているので、キャリブレーション信号送信手段が単独で設置される場合に比べて、通信システム全体の規模及びコストを抑えることができる。
【０１１２】
（実施の形態６）
実施の形態６は、実施の形態１から実施の形態５において、キャリブレーション信号送信手段を用いずにキャリブレーションを行う場合の形態である。以下、実施の形態６に係るアレーアンテナ無線通信装置について、実施の形態１から実施の形態５と相違する点に着目して、図１０を用いて説明する。
【０１１３】
図１０は、本発明の実施の形態６に係るアレーアンテナ無線通信装置を用いた通信システムの構成を示すブロック図である。同図において、本実施の形態に係るアレーアンテナ通信装置を備えた基地局１００１と、移動局とが通信を行う様子が示されている。本実施の形態においては、説明を簡単にするために、移動局として移動局（Ａ）１００９と移動局（Ｂ）１０１０が基地局１００１と通信を行う場合について説明する。なお、同図において、実施の形態１から実施の形態５と同様の構成については、詳しい説明を省略する。
【０１１４】
移動局（Ｂ）１０１０は、ＧＰＳ（Global Positioning System）等を利用することにより自局の位置を測定し、測定した位置に関する情報を含めた信号を基地局１００１に送信する。
【０１１５】
基地局１００１において、移動局Ｂ位置情報検出手段１０１１は、移動局（Ｂ）１０１０から送信された上記位置に関する情報が含まれた信号を受信して、移動局（Ｂ）１０１０の位置を検出する。また、移動局Ｂ位置情報検出手段１０１１は、検出した移動局（Ｂ）１０１０の位置に関する情報を受信信号処理手段Ｂ（ＣＡＬ用）１００７に送る。
【０１１６】
ところで、キャリブレーションを行うには、キャリブレーション用の信号と、このキャリブレーション用の信号を発生する手段の位置と、が必須要件である。ここで、移動局（Ｂ）１０１０の位置は、上述のとおり既知となっているので、この移動局（Ｂ）１０１０からの通信信号は、キャリブレーション用の通信信号となりうる。したがって、移動局（Ｂ）１０１０からの通信信号を用いることにより、キャリブレーションを行うことが可能となる。
【０１１７】
受信信号処理手段Ｂ（ＣＡＬ用）１００７は、受信無線回路１００４及び受信無線回路１００５のそれぞれによりダウンコンバートされた移動局（Ｂ）１００９からの通信信号をキャリブレーション用の通信信号として用いて、各受信無線回路の偏差を測定し、測定結果を記録部１００８の補正テーブルに保存する。
【０１１８】
受信信号処理手段Ａ（通信用）１００６は、受信無線回路１００４及び受信無線回路１００５のそれぞれによりダウンコンバートされた移動局（Ａ）１００９からの通信信号に対して、復調処理を行う。復調処理時には、受信信号処理手段Ａ（通信用）１００６は、記録部１００８の補正テーブルを参照して、常時又は間欠的に各受信無線回路の特性誤差を相殺するような復調処理を行う。
【０１１９】
また、移動局Ｂからの通信信号は、専らキャリブレーション用通信信号に用いられるものではなく、通常通りの復調処理もなされることは言うまでもない。なお、上述した各構成要素は、ＣＤＭＡ方式又はＴＤＭＡ方式のいずれの通信においても対応できるものである。
【０１２０】
このように、本実施の形態によれば、通信を行う複数の移動局のうち、ある１つの移動局の位置を検出することにより、この移動局からの通信信号をキャリブレーション用通信信号として用いることができるので、キャリブレーション用通信信号を発生する手段を単独に設ける必要がない。これにより、通信システム全体の規模及びコストを抑えることができる。
【０１２１】
なお、本実施の形態においては、基地局１００１が移動局（Ｂ）１０１０の位置に関する情報を取得するために、移動局（Ｂ）１０１０がＧＰＳ等を利用して測定した位置に関する情報を基地局１００１に送信し、基地局１００１内の移動局Ｂ位置情報検出手段１０１１が、上記情報から移動局（Ｂ）１０１０に位置を検出する、という方法を用いた場合について説明したが、本発明は、これに限定されず、移動局Ｂ位置情報検出手段１０１１が、既知である移動局Ｂの存在位置を示したデータベースをあらかじめ備えるようにした場合にも適用できるものである。
【０１２２】
（実施の形態７）
実施の形態７は、実施の形態５において、他の基地局内に設けられたキャリブレーション用通信信号発生手段を用いる方法に代えて、自局内に設けられたキャリブレーション用信号発生手段を用いてキャリブレーションを行う場合の形態である。以下、実施の形態７に係るアレーアンテナ無線通信装置について、実施の形態５と相違する点に着目して、図１１を用いて説明する。
【０１２３】
図１１は、本発明の実施の形態７に係るアレーアンテナ無線通信装置を用いた通信システムの構成を示すブロック図である。なお、同図において、実施の形態５と同様の構成要素については、詳しい説明を省略する。
【０１２４】
基地局１１０１において、ＣＡＬ用信号発生手段１１１０は、キャリブレーション用信号を生成して加算手段１１１１と加算手段１１１２に送る。このキャリブレーション用信号は、受信アンテナ１１０２及び受信アンテナ１１０３を介して受信される移動局１１０９からの通信信号と同様な処理（周波数変換及び変調等）された信号である。
【０１２５】
加算手段１１１１及び加算手段１１１２は、それぞれ受信アンテナ１１０２及び受信アンテナ１１０３を介して受信された移動局１１０９からの通信信号と、ＣＡＬ用信号発生手段１１１０からのキャリブレーション用信号と、を加算する。
【０１２６】
さらに、ＣＡＬ用信号発生手段１１１０の位置は既知なものであるので、受信信号処理手段Ｂ（ＣＡＬ）用１１０７は、実施の形態５と同様に、受信無線回路１１０４及び受信無線回路１１０５の偏差を測定することができる。
【０１２７】
このように、本実施の形態によれば、基地局内においてキャリブレーション用信号が得られるので、キャリブレーション用信号キャリブレーション用通信信号を発生させるための手段を、基地局外に設ける必要がない。これにより、さらに通信システム全体の規模及びコストを抑えることができる。
【０１２８】
（実施の形態８）
実施の形態８は、実施の形態１から実施の形態７において、各受信無線回路の偏差を測定するための受信信号処理手段と、復調処理を行うための受信信号処理手段と、を１つの受信信号処理手段にまとめる場合の形態である。以下、本実施の形態に係るアレーアンテナ通信装置について、説明を簡単にするためにＴＤＭＡ方式の通信が行われる場合の図１２を例にとり説明する。
【０１２９】
図１２は、本発明の実施の形態８に係るアレーアンテナ通信装置が用いられる通信システムの構成を示すブロック図である。なお、同図において、実施の形態１から実施の形態７と同様の構成については、詳しい説明を省略する。また、本実施の形態においては、実施の形態２（図３）で示したキャリブレーション用ＴＤＭＡ通信信号送信手段が基地局の外部に設置される場合について説明するが、本発明は、これに限定されず、実施の形態１から実施の形態７において述べたいずれの場合についても適用できるものである。
【０１３０】
受信ＴＤＭＡ信号処理手段（通信・ＣＡＬ兼用）１２０６は、内部に設けられた切換部（図示しない）により、受信アンテナ１２０２及び受信アンテナ１２０３を介して受信された移動局１２０８からの通信信号に対するＴＤＭＡ復調処理、又は、同様に受信されたＣＡＬ用無線ＴＤＭＡ信号送信手段１２０９からのキャリブレーション用ＴＤＭＡ無線信号に基づく受信回路１２０４及び受信回路１２０５の偏差の測定、のいずれかを選択して実行する。これは、実施の形態２で述べたように、タイムスロットの割り当て内容に従ってなされる。
【０１３１】
また、受信ＴＤＭＡ信号処理手段（通信・ＣＡＬ兼用）１２０６は、各受信回路の偏差の測定時には、測定した上記偏差を記録部１２０７の補正テーブルに保存し、ＴＤＭＡ復調処理時には、記録部１２０７の補正テーブルを参照して、常時又は間欠的に各受信無線回路の特性誤差を相殺するようなＴＤＭＡ復調処理を行う。
【０１３２】
本実施の形態によれば、各受信無線回路の偏差を測定するための受信信号処理手段と、復調処理を行うための受信信号処理手段と、を１つの受信信号処理手段にまとめているので、基地局内の回路規模を抑えることができる。
【０１３３】
なお、本実施の形態においては、ＴＤＭＡ方式の通信が行われる場合について説明したが、本発明は、これに限定されず、ＣＤＭＡ方式の通信が行われる場合についても適用できるものである。
【図面の簡単な説明】
【０１３４】
【図１】本発明の実施の形態１に係るアレーアンテナ無線通信装置を用いた通信システムの構成を示すブロック図
【図２】実施の形態１に係るアレーアンテナ無線通信装置を用いた通信システムにおける拡散符号の割り当て状況を示す模式図
【図３】本発明の実施の形態２に係るアレーアンテナ無線通信装置を用いた通信システムの構成を示すブロック図
【図４】実施の形態２に係るアレーアンテナ無線通信装置を用いた通信システムにおける拡散符号の割り当て状況を示す模式図
【図５】本発明の実施の形態３に係るアレーアンテナ無線通信装置を用いた通信システムの構成を示すブロック図
【図６】実施の形態３に係るアレーアンテナ通信装置を用いた通信システムにおける拡散符号の割り当て状況を示す模式図
【図７】本発明の実施の形態４に係るアレーアンテナ無線通信装置を用いた通信システムの構成を示すブロック図
【図８】実施の形態４に係るアレーアンテナ通信装置を用いた通信システムにおけるタイムスロットの割り当て状況を示す模式図
【図９】本発明の実施の形態５に係るアレーアンテナ無線通信装置を用いた通信システムの構成を示すブロック図
【図１０】本発明の実施の形態６に係るアレーアンテナ無線通信装置を用いた通信システムの構成を示すブロック図
【図１１】本発明の実施の形態７に係るアレーアンテナ無線通信装置を用いた通信システムの構成を示すブロック図
【図１２】本発明の実施の形態８に係るアレーアンテナ通信装置が用いられる通信システムの構成を示すブロック図
【図１３】従来のアレーアンテナ無線通信装置を用いた通信システムの構成を示すブロック図
【符号の説明】
【０１３５】
１０１  基地局
１０２，１０３  受信アンテナ
１０４，１０５  受信無線回路
１０６  受信ＣＤＭＡ信号処理手段Ａ（通信用）
１０７  受信ＣＤＭＡ信号処理手段Ｂ（ＣＡＬ用）
１０８  記録部
１０９  移動局
１１０  ＣＡＬ用ＣＤＭＡ無線信号送信手段
【図１】
2004343801.tif 000003
【図２】
2004343801.tif 000004
【図３】
2004343801.tif 000005
【図４】
2004343801.tif 000006
【図５】
2004343801.tif 000007
【図６】
2004343801.tif 000008
【図７】
2004343801.tif 000009
【図８】
2004343801.tif 000010
【図９】
2004343801.tif 000011
【図１０】
2004343801.tif 000012
【図１１】
2004343801.tif 000013
【図１２】
2004343801.tif 000014
【図１３】
2004343801.tif 000015